(57)【要約】【課題】硬い土壌またはアイスバーン等を安全かつ簡易に除去すること。【解決手段】作用部が一端に設けられた筒形状を有する内筒４と、握り部２４が一端に設けられた筒形状を有し、内筒４をその内部に収容する外筒２と、内筒４を外筒２から押し出す方向に付勢する第１スプリング（スプリング５１）と、内筒４の他端内に収容され、内筒の軸方向に移動可能に配置されるハンマー部６１と、内筒内４のハンマー部が突き当たる部分に設けられたハンマー受け部５３１と、ハンマー部を内筒の軸方向に付勢する第２スプリング（スプリング６３）と、第１スプリングが縮む際に、ハンマー部を内筒の所定の位置に係止するストッパ機構５５と、外筒に設けられ、第１スプリングが所定の位置まで収縮された場合に、ストッパ機構によるハンマー部の係止を解除する解除部（傾斜部２１）と、を有する。【選択図】図１
2020079477.tif 000002
【特許請求の範囲】
【請求項１】
作用部が一端に設けられた筒形状を有する内筒と、
握り部が一端に設けられた筒形状を有し、前記内筒をその内部に収容する外筒と、
前記内筒を前記外筒から押し出す方向に付勢する第１スプリングと、
前記内筒の他端内に収容され、前記内筒の軸方向に移動可能に配置されるハンマー部と、
前記内筒内の前記ハンマー部が突き当たる部分に設けられたハンマー受け部と、
前記ハンマー部を前記内筒の軸方向に付勢する第２スプリングと、
前記第１スプリングが縮む際に、前記ハンマー部を前記内筒の所定の位置に係止するストッパ機構と、
前記外筒に設けられ、前記第１スプリングが所定の位置まで収縮された場合に、前記ストッパ機構による前記ハンマー部の係止を解除する解除部と、
を有することを特徴とするインパクト装置。
【請求項２】
前記外筒の他端には、操作者が力を印加するための突起部が設けられていることを特徴とする請求項１に記載のインパクト装置。
【請求項３】
前記内筒の外側と前記外筒の内側には、相互に係合することで、前記内筒が前記外筒から抜け落ちることを防止するための抜け止めが設けられていることを特徴とする請求項１または２に記載のインパクト装置。
【請求項４】
前記抜け止めは、前記内筒が前記外筒内で回転することを規制する機能をさらに備えることを特徴とする請求項３に記載のインパクト装置。
【請求項５】
前記作用部は、さじ部によって構成されていることを特徴とする請求項１乃至４のいずれか１項に記載のインパクト装置。
【請求項６】
前記さじ部の先端には、凹凸形状を有する複数の歯が形成されていることを特徴とする請求項５に記載のインパクト装置。
【請求項７】
前記ハンマー部は、インパクト装置の重心位置よりも前記握り部に寄った位置に配置され、前記ハンマー部が前記さじ部のカウンターウエイトとして機能することを特徴とする請求項５または６に記載のインパクト装置。
【発明の詳細な説明】
【技術分野】
【０００１】
本発明は、インパクト装置に関するものである。
【背景技術】
【０００２】
災害等に起因する床下浸水、床上浸水、および、崖崩れ等からの復興時に、重機が入れない場所ではショベルを使用し、人力で土砂を片付ける必要がある。
【０００３】
従来の丸型や角形のショベルでは、土砂内に混在する砂利、石、および、流木等の様々な異物によりショベルが刺さらず、必要以上の労力を必要とする。
【０００４】
また、除雪時においても、踏み固められた雪が氷状になった場所（アイスバーン）では、ショベルが刺さらないため、必要以上の労力を必要とする。
【０００５】
従来において、例えば、アイスバーンや硬い土壌等を砕くショベルとしては、例えば、特許文献１に開示された技術がある。
【０００６】
特許文献１に開示された技術では、掬い体と、掬い体と連結した柄杆体とを備え、柄杆体の一部又は全部を分離着脱自在に形成すると共に、分離時に露出する柄杆体先端に刺突部を突設している。
【先行技術文献】
【特許文献】
【０００７】
【特許文献１】特開２００１−７３４００号公報
【発明の概要】
【発明が解決しようとする課題】
【０００８】
しかしながら、特許文献１に開示された技術では、刺突部の幅は、棒状柄部と同じであることから、広い面積のアイスバーンや土壌等を砕く場合には、時間を要するという問題点がある。
【０００９】
また、破砕力を高めるためには、刺突部を高く持ち上げて地面に打ち付ける必要があるが、手元が狂った場合には、作業者の足を直撃し、怪我を招来する可能性があるという問題点もある。
【００１０】
本発明は、このような状況に鑑みてなされたものであり、アイスバーンまたは硬い土壌等を安全かつ簡易に除去することが可能なインパクト装置を提供することを目的としている。
【課題を解決するための手段】
【００１１】
上記課題を解決するために、本発明は、作用部が一端に設けられた筒形状を有する内筒と、握り部が一端に設けられた筒形状を有し、前記内筒をその内部に収容する外筒と、前記内筒を前記外筒から押し出す方向に付勢する第１スプリングと、前記内筒の他端内に収容され、前記内筒の軸方向に移動可能に配置されるハンマー部と、前記内筒内の前記ハンマー部が突き当たる部分に設けられたハンマー受け部と、前記ハンマー部を前記内筒の軸方向に付勢する第２スプリングと、前記第１スプリングが縮む際に、前記ハンマー部を前記内筒の所定の位置に係止するストッパ機構と、前記外筒に設けられ、前記第１スプリングが所定の位置まで収縮された場合に、前記ストッパ機構による前記ハンマー部の係止を解除する解除部と、を有することを特徴とする。
このような構成によれば、アイスバーンまたは硬い土壌等を安全かつ簡易に除去することが可能となる。
【００１２】
また、本発明は、前記外筒の他端には、操作者が力を印加するための突起部が設けられていることを特徴とする。
このような構成によれば、操作者の力を効率よく作用部に印加することができるので、作業を効率化することができる。
【００１３】
また、本発明は、前記内筒の外側と前記外筒の内側には、相互に係合することで、前記内筒が前記外筒から抜け落ちることを防止するための抜け止めが設けられていることを特徴とする。
このような構成によれば、内筒を外筒内に確実に保持することができるので、作業を円滑に行うことができる。
【００１４】
また、本発明は、前記抜け止めは、前記内筒が前記外筒内で回転することを規制する機能をさらに備えることを特徴とする。
このような構成によれば、内筒の回転を規制することができるので、作業を円滑に行うことができる。
【００１５】
また、本発明は、前記作用部は、さじ部によって構成されていることを特徴とする。
このような構成によれば、広い面積のアイスバーンまたは土壌等を効率よく除去することができる。
【００１６】
また、本発明は、前記さじ部の先端には、凹凸形状を有する複数の歯が形成されていることを特徴とする。
このような構成によれば、ハンマー部による力を、凹凸形状を有する複数の歯とすることで、鋸状の歯のように不必要に柔らかい異物（例えば、樹木等）に刺さることなく、作業を円滑に行うことができる。
【００１７】
また、本発明は、前記ハンマー部は、インパクト装置の重心位置よりも前記握り部に寄った位置に配置され、前記ハンマー部が前記さじ部のカウンターウエイトとして機能することを特徴とする。
このような構成によれば、カウンターウエイトとして機能させることで、土壌またはアイスバーン等の対象部をバランス良く運搬することができる。
【発明の効果】
【００１８】
本発明によれば、アイスバーンまたは硬い土壌等を安全かつ簡易に除去可能なインパクト装置を提供することが可能となる。
【図面の簡単な説明】
【００１９】
【図１】本発明の実施形態に係るインパクト装置の斜視図である。
【図２】本発明の実施形態に係るインパクト装置の外観図である。
【図３】本発明の実施形態に係るインパクト装置の分解斜視図である。
【図４】図３に示す内筒部の拡大図である。
【図５】図３に示すストッパ機構の拡大図である。
【図６】本発明の実施形態に係るインパクト装置の動作を説明するための断面図である。
【図７】本発明の実施形態に係るインパクト装置の動作を説明するための断面図である。
【図８】本発明の実施形態に係るインパクト装置の動作を説明するための断面図である。
【図９】本発明の実施形態に係るインパクト装置の動作を説明するための断面図である。
【発明を実施するための形態】
【００２０】
次に、本発明の実施形態について説明する。
【００２１】
（Ａ）本発明の実施形態の構成の説明
図１〜図５は、本発明の実施形態に係るインパクト装置１の構成例を示す図ある。まず、図１は、インパクト装置１の斜視図である。図２は、インパクト装置１の外観図である。図３は、インパクト装置１の分解斜視図である。図４は、インパクト装置１の内筒の斜視図である。また、図５は、ストッパ機構の斜視図である。以下では、本発明の実施形態では、インパクト装置１として、ショベルを構成する場合を例に挙げて説明する。なお、以下では、図中に矢印で示すように、Ｘ，Ｙ，Ｚ軸を設定し、矢印の向いている方向をプラス方向とし、矢印の反対方向をマイナス方向として説明する。
【００２２】
インパクト装置１は、図３に示すように、外筒２および内筒４を主要な構成要素としている。
【００２３】
図１および図２に示すように、外筒２は、中部外筒２０、上部外筒２２、および、下部外筒２３を有している。下部外筒２３の底部からは下部内筒４０が伸出し、その先端には作用部４４が設けられている。
【００２４】
図１に示す実施形態では、作用部４４は、ショベルのさじ部として構成される。作用部４４の先端には、矩形の凹凸形状を有する歯状部４４１が形成されている。作用部４４は、例えば、熱処理鋼によって構成される。
【００２５】
中部外筒２０と上部外筒２２は接続部３１によってそれぞれの端部が相互に接続されて一体とされる。中部外筒２０と下部外筒２３は接続部３３によってそれぞれの端部が相互に接続されて一体とされる。
【００２６】
中部外筒２０は、例えば、ステンレス鋼によって形成され、直径が異なる上部外筒２２と下部外筒２３とが傾斜部２１によって滑らかに接続されて構成される。なお、傾斜部２１は、後述するように、ストッパ機構５５を動作させるための力を印加する。
【００２７】
上部外筒２２の上側（Ｚ軸のプラス方向）の先端には握り部２４が形成されている。握り部２４は、例えば、アルミニウムまたは樹脂等によって形成され、この部分を作業者が一方の手によって把持することで力を印加することができる。
【００２８】
下部外筒２３の下側（Ｚ軸のマイナス方向）の先端には、Ｘ軸のプラスとマイナス方向に延在する一対の突起部２８が設けられている。突起部２８は、作業者が足をかけて力を印加する際に使用される。突起部２８は、支持部２６１によって支持される。支持部２６１の一端は突起部２８に接合され、他端は下部外筒２３にネジによって固定されるか、あるいは、溶接によって固定される。なお、下部外筒２３は、例えば、アルミニウム等によって構成される。
【００２９】
下部外筒２３の外周には、滑り止め２６が形成されている。作業者が作用部４４に氷や土砂等を載置して運搬等する場合には、一方の手によって握り部２４を把持し、他方の手によって滑り止め２６の部分を把持して作業する。なお、下部外筒２３は、例えば、アルミニウムによって構成される。
【００３０】
図３に示すように、中部外筒２０と上部外筒２２とを接続する接続部３１の内部には、中部外筒２０と上部外筒２２とを隔てる仕切り部３１１が設けられ、仕切り部３１１の中央部には貫通孔３１２が形成されている。
【００３１】
中部外筒２０と下部外筒２３とを接続する接続部３３の内部には、中部外筒２０と下部外筒２３とを隔てる仕切り部３３１が設けられ、仕切り部３３１の中央部には貫通孔３３２が形成されている。
【００３２】
下部外筒２３の端部の内側には、ガイド部３５が設けられている。ガイド部３５の中央部には貫通孔３５１が形成され、貫通孔３５１の一部には、下部内筒４０に設けられた凸部４２と係合し、内筒４が回転することを規制するための凹部３５２が形成されている。ガイド部３５は、例えば、樹脂等によって構成され、作業時に内筒４が左右方向（Ｘ軸方向）および前後方向（Ｙ軸方向）にぶれることを規制する。
【００３３】
図３および図４に示すように、内筒４は、下部内筒４０および上部内筒４１が接続部５３によって先端部が相互に接続されて構成される。下部内筒４０の先端部には作用部４４が設けられている。下部内筒４０の下側（Ｚ軸のマイナス方向）には凸部４２が、例えば、図示しないネジ等によって固定されている。下部内筒４０の上側（Ｚ軸のプラス方向）には、抜け止め４５およびスプリング止め４６が設けられている。抜け止め４５は、支持部２６１を固定するネジ（支持部２６１が溶接されている場合には、支持部２６１とは独立して設けられたネジ）によって内筒４が外筒２から抜けることを規制する。スプリング止め４６は、スプリング５１が抜け止め４５の方向に移動することを規制する。
【００３４】
上部内筒４１の内部には、ハンマー部６１が内蔵されている。ハンマー部６１は、ハンマーボディ６１１、ハンマーヘッド６１２、ハンマーシャフト６１３、および、シャフトエンド６１４を有している。ハンマーボディ６１１は、円筒形状を有する金属部材によって構成される。ハンマーヘッド６１２は、ハンマーボディ６１１の先端部分に設けられ、後述するように、スプリング６３によって駆動力を与えられ、接続部５３の内部のハンマー受け部５３１に衝撃力を伝える。ハンマーシャフト６１３は、仕切り部３１１の貫通孔３１２に挿通され、貫通孔３１２内を上下方向（Ｚ軸の方向）に移動する。シャフトエンド６１４は、ハンマーシャフト６１３の先端部に設けられ、ハンマーシャフト６１３が下方向（Ｚ軸のマイナス方向）に抜け落ちることを防止する。なお、シャフトエンド６１４およびハンマーシャフト６１３は、例えば、雄ネジおよび雌ネジがそれぞれ形成され、これらをネジ止めすることで固定される。なお、ハンマー部６１は、比重の大きい金属部材によって構成される。
【００３５】
上部内筒４１の外側の３カ所には、ハンマー部６１を所定の位置に係止するためのストッパ機構５５が設けられている。図５は、ストッパ機構５５の詳細な構成例である。図５に示すように、ストッパ機構５５は、ストッパアーム５５１、回動軸５５２、軸受け部５５３、および、トーションスプリング５５４をそれぞれ有している。
【００３６】
ストッパアーム５５１は、回動軸５５２を有し、この回動軸５５２を軸受け部５５３に挿通することで、回動自在に固定される。ストッパアーム５５１の先端には爪部５５１ａが形成され、爪部５５１ａが上部内筒４１の開口部４７１から上部内筒４１の内部に進入する構成とされている。ストッパアーム５５１は、トーションスプリング５５４によって上部内筒４１の内部に向かう方向に力を印加される。爪部５５１ａがハンマーボディ６１１の下側の端部と係合することで、ハンマーボディ６１１が爪部５５１ａによって係止される。
【００３７】
図６は、インパクト装置１の断面図である。図６に示すように、インパクト装置１は、外筒２の内部に内筒４が組み込まれた状態とされる。
【００３８】
下部内筒４０は、下部外筒２３の端部に配置されたガイド部３５の貫通孔３５１に挿通されている。また、下部内筒４０の凸部４２は、ガイド部３５の凹部３５２と係合している。これにより、下部内筒４０が下部外筒２３の中で前後方向（Ｙ軸の方向）および左右方向（Ｘ軸の方向）に移動することを規制するとともに、下部内筒４０が回転することを規制する。
【００３９】
抜け止め４５は、下部外筒２３の内部に配置され、支持部２６１を固定するネジ（支持部２６１が溶接されている場合には、支持部２６１とは独立して設けられたネジ）によって、下方向（Ｚ軸のマイナス方向）への移動が規制される。
【００４０】
スプリング５１は、スプリング止め４６と仕切り部３３１の間に配置される。下部内筒４０が上方向に移動すると、スプリング止め４６が同じく上方向に移動し、スプリング５１が圧縮され、復元力を生じる。
【００４１】
ハンマー部６１は、上部内筒４１内に配置され、Ｚ軸の方向に移動可能とされている。スプリング６３は、ハンマーボディ６１１と仕切り部３１１の間に配置され、ハンマー部６１をＺ軸の方向に付勢する。
【００４２】
なお、スプリング６３とスプリング５１を比較すると、スプリング５１の方がスプリング６３よりも弾性力が弱くなるように構成されている。これにより、手や足によって加圧する際に必要な力を小さくするとともに、爪部５５１ａをハンマー部６１に引っ掛けて戻しやすくすることができる。
【００４３】
ハンマーシャフト６１３は、仕切り部３１１の貫通孔３１２に挿通され、Ｚ軸の方向に移動可能に保持される。シャフトエンド６１４は、仕切り部３１１の貫通孔３１２よりも直径が大きいので、ハンマーシャフト６１３が貫通孔３１２から脱落することを防止する。
【００４４】
（Ｂ）本発明の実施形態の動作の説明
つぎに、本発明の実施形態の動作について説明する。例えば、インパクト装置１の歯状部４４１が地面に接地した状態において、握り部２４を作業者が把持して地面から持ち上げると、内筒４はスプリング５１の弾性力によってＺ軸のマイナス方向に、外筒２はＺ軸のプラス方向に移動される。
【００４５】
前述したように、シャフトエンド６１４は、仕切り部３１１の貫通孔３１２よりも直径が大きいので、内筒４がＺ軸のマイナス方向に、外筒２がＺ軸のプラス方向に、移動されると、図６に示すように、ハンマー部６１がＺ軸のプラス方向に移動される。ハンマー部６１のハンマーボディ６１１の下端部がストッパ機構５５の爪部５５１ａよりも上側（Ｚ軸のプラス方向）に位置する状態になると、ストッパアーム５５１がトーションスプリング５５４によって上部内筒４１の中心に向かって移動される。この結果、爪部５５１ａがハンマーボディ６１１の下端部に引っかかった状態となり、例えば、図７に示すように、ハンマー部６１が爪部５５１ａによって係止される。なお、図７の例は、後述するように、外筒２に対して圧力が印加され、スプリング６３が収縮した状態を示している。外筒２に対して圧力が印加されていない状態（握り部２４および突起部２８に圧力が印加されていない状態）では、スプリング６３は仕切り部３１１には接触しない状態（収縮していない状態）となっている。
【００４６】
つぎに、操作者が、作用部４４の先端の歯状部４４１を、例えば、地表に形成されたアイスバーン等に当接させ、突起部２８に対して足で下向き（Ｚ軸のマイナス方向）の力を印加すると、内筒４が静止した状態で、外筒２がＺ軸のマイナス方向に移動される。このとき、スプリング６３は、Ｚ軸のマイナス方向に移動する仕切り部３１１と、ハンマーボディ６１１との間で圧縮され、弾性力を蓄える。
【００４７】
そして、外筒２の傾斜部２１がストッパ機構５５のストッパアーム５５１の上端部の位置まで移動すると、傾斜部２１はストッパアーム５５１の上端部に対して中心方向に向かう力を印加する。この結果、図８に示すように、爪部５５１ａによるハンマーボディ６１１の係止が解除される。
【００４８】
爪部５５１ａによるハンマーボディ６１１の係止が解除されると、スプリング６３に蓄えられた弾性力が一気に解放される。この結果、ハンマー部６１は、スプリング６３の弾性力と、ハンマー部６１に印加される重力加速度によって、Ｚ軸のマイナス方向に勢いよく移動し、図９に示すように、ハンマーヘッド６１２が、ハンマー受け部５３１に衝突する。
【００４９】
ハンマーヘッド６１２がハンマー受け部５３１に衝突したことによる衝撃力は、下部内筒４０を介して作用部４４の歯状部４４１に伝達される。この結果、衝撃力が歯状部４４１から、例えば、アイスバーンに伝達されるので、強固なアイスバーンに亀裂等を生ぜしめることができる。
【００５０】
作業者が突起部２８に対して力をさらに印加すると、外筒２がＺ軸のマイナス方向にさらに移動し、例えば、図８に示すように、上部内筒４１の抜け止め４８が仕切り部３１１に当接した状態となる。これにより、外筒２と内筒４が接触した状態となるので、作業者の印加した力は余すところなく作用部４４に伝達し、亀裂が生じたアイスバーンを、例えば、破砕することができる。
【００５１】
アイスバーンが破砕されると、作業者は、一方の手で握り部２４を把持し、他方の手で下部外筒２３の滑り止め２６を把持して、破砕片を作用部４４で掬って持ち上げ、所望の場所まで移動させる。このとき、作用部４４がＺ軸方向に対して自由に移動可能な状態になると、スプリング５１の弾性力により、外筒２の外部に伸出する方向に内筒４が移動され、仕切り部３１１によってシャフトエンド６１４がＺ軸のプラス方向に移動される。この結果、ストッパ機構５５によって、ハンマー部６１が係止される。
【００５２】
ハンマー部６１が係止されると、ハンマー部６１が作用部４４のカウンターウエイトとして機能するので、作業者は、大きな力を印加することなく、破砕片を所望の場所まで円滑に移動させることができる。
【００５３】
つづいて、作用部４４の先端の歯状部４４１を、アイスバーンに再度当接させ、突起部２８に対して足で力を印加すると、内筒４が静止した状態で、外筒２がＺ軸のマイナス方向に移動される。これにより、スプリング６３が圧縮され、スプリング６３に弾性力が蓄積される。そして、傾斜部２１がストッパアーム５５１の位置まで移動されると、傾斜部２１がストッパアーム５５１の上端部に中心方向（内側向き）の力を印加し、爪部５５１ａによるハンマーボディ６１１の係止が解除され、ハンマー部６１による衝撃力によってアイスバーンを破砕することができる。
【００５４】
以上に説明したように、本発明の実施形態によれば、スプリング６３による弾性力によってハンマー部６１を駆動し、ハンマー受け部５３１を介して作用部４４に衝撃力を伝えるようにしたので、例えば、アイスバーンを少ない力で破砕することができる。これにより、作業者の負担を軽減することができる。
【００５５】
また、ハンマー部６１は、歯状部４４１が地面に当接された状態で、突起部２８に力が印加された場合に動作して衝撃力を発生するので、特許文献１の技術のように、作業者が自身の足を傷つけることを回避できる。
【００５６】
また、作用部４４によって破砕片を所定の位置まで移動する際には、ハンマー部６１がカウンターウエイトとして機能するので、少ない力で破砕片を円滑に移動させることができる。
【００５７】
また、ハンマー部６１は、柔らかい土壌の場合には作動しないので、通常のショベルと同様に使用することも可能である。
【００５８】
（Ｂ）変形実施形態の説明
以上の実施形態は一例であって、本発明が上述した場合のみに限定されるものでないことはいうまでもない。例えば、以上の例では、作用部４４は、ショベルのさじ部として構成したが、これ以外の構成としてもよい。例えば、さじ部の代わりに、先端が鋭利に加工された刺突部を設けるようにしてもよい。また、矩形形状を有する歯状部４４１ではなく、例えば、通常のショベルと同様に、先端部が平らな形状を有するさじ部としたり、あるいは、先端が尖っているさじ部としたりすることも可能である。
【００５９】
また、以上の実施形態では、突起部２８は、下部外筒２３の下端に設け、作業者の足によって力を印加するようにしたが、例えば、下部外筒２３の上端に設け、作業者の手によって力を印加するようにしてもよい。
【００６０】
また、以上の実施形態では、ハンマー部６１の形状は一例であって、これ以外の形状を有するようにしてもよい。
【００６１】
また、以上の実施形態では、傾斜部２１によってストッパ機構５５によるハンマー部６１の係止を解除するようにしたが、傾斜部２１以外の構成（例えば、中部外筒２０の内側に突出する突起部）を用いて解除するようにしてもよい。
【００６２】
また、仕切り部３１１のＺ軸方向の位置を外筒２の外側から調整可能に構成することで、ハンマー部６１による衝撃力を調整可能としてもよい。
【００６３】
また、スプリング６３とスプリング５１を比較すると、スプリング５１の弾性力が弱い場合を例に挙げて説明したが、場合によってはこれらの弾性力が等しいか、あるいはスプリング５１の弾性力が強くなるように設定してもよい。
【００６４】
また、図３に示すように、上部内筒４１の上端部には、抜け止め４８を設けるようにしたが、製造工程における組み立ての容易さを考えると、抜け止め４８を設けないようにしてもよい。この場合、図８では、上部内筒４１の上端部が仕切り部３１１に当接した状態となり、外筒２と内筒４が接触した状態となるので、作業者の印加した力は余すところなく作用部４４に伝達し、亀裂が生じたアイスバーンを、例えば、破砕することができる。
【００６５】
同様に、仕切り部３３１のＺ軸方向の位置を外筒２の外側から調整可能に構成することで、ハンマー部６１が作動するまでに印加する力を調整可能としてもよい。
【符号の説明】
【００６６】
１  インパクト装置
２  外筒
４  内筒
２０  中部外筒
２１  傾斜部
２２  上部外筒
２３  下部外筒
２４  握り部
２６  滑り止め
２８  突起部
３１  接続部
３３  接続部
３５  ガイド部
４０  下部内筒
４１  上部内筒
４２  凸部
４４  作用部
４５  抜け止め
４６  スプリング止め
５１  スプリング
５３  接続部
５５  ストッパ機構
６１  ハンマー部
６３  スプリング
２６１  支持部
３１１  仕切り部
３１２  貫通孔
３３１  仕切り部
３３２  貫通孔
３５１  貫通孔
３５２  凹部
４４１  歯状部
４７１  開口部
５３１  ハンマー受け部
５５１  ストッパアーム
５５１ａ  爪部
５５２  回動軸
５５３  軸受け部
５５４  トーションスプリング
６１１  ハンマーボディ
６１２  ハンマーヘッド
６１３  ハンマーシャフト
６１４  シャフトエンド
【図１】
2020079477.tif 000003
【図２】
2020079477.tif 000004
【図３】
2020079477.tif 000005
【図４】
2020079477.tif 000006
【図５】
2020079477.tif 000007
【図６】
2020079477.tif 000008
【図７】
2020079477.tif 000009
【図８】
2020079477.tif 000010
【図９】
2020079477.tif 000011
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
作用部が一端に設けられた筒形状を有する内筒と、
握り部が一端に設けられた筒形状を有し、前記内筒を内部に収容する外筒と、
前記内筒を前記外筒から押し出す方向に付勢する第１スプリングと、
前記内筒の他端内に収容され、前記内筒の軸方向に移動可能に配置されるハンマー部と、
前記内筒内の前記ハンマー部が突き当たる部分に設けられたハンマー受け部と、
前記ハンマー部を前記内筒の軸方向に付勢する第２スプリングと、
前記第１スプリングが縮む際に、前記ハンマー部を前記内筒の所定の位置に係止するストッパ機構と、
前記外筒に設けられ、前記第１スプリングが所定の位置まで収縮された場合に、前記ストッパ機構による前記ハンマー部の係止を解除する解除部と、を有し、
前記解除部により前記ストッパ機構による前記ハンマー部の係止が解除された場合、前記ハンマー部が前記ハンマー受け部に衝突し、当該衝突による衝撃力が前記作用部に伝達される、
ことを特徴とするインパクト装置。
【請求項２】
前記外筒の他端には、操作者が力を印加するための突起部が設けられていることを特徴とする請求項１に記載のインパクト装置。
【請求項３】
前記内筒の外側と前記外筒の内側には、相互に係合することで、前記内筒が前記外筒から抜け落ちることを防止するための抜け止めが設けられていることを特徴とする請求項１または２に記載のインパクト装置。
【請求項４】
前記抜け止めは、前記内筒が前記外筒内で回転することを規制する機能をさらに備えることを特徴とする請求項３に記載のインパクト装置。
【請求項５】
前記作用部は、さじ部によって構成されていることを特徴とする請求項１乃至４のいずれか１項に記載のインパクト装置。
【請求項６】
前記さじ部の先端には、凹凸形状を有する複数の歯が形成されていることを特徴とする請求項５に記載のインパクト装置。
【請求項７】
前記ハンマー部は、インパクト装置の重心位置よりも前記握り部に寄った位置に配置され、前記ハンマー部が前記さじ部のカウンターウエイトとして機能することを特徴とする請求項５または６に記載のインパクト装置。
【手続補正２】
【補正対象書類名】明細書
【補正対象項目名】００１１
【補正方法】変更
【補正の内容】
【００１１】
上記課題を解決するために、本発明は、作用部が一端に設けられた筒形状を有する内筒と、握り部が一端に設けられた筒形状を有し、前記内筒を内部に収容する外筒と、前記内筒を前記外筒から押し出す方向に付勢する第１スプリングと、前記内筒の他端内に収容され、前記内筒の軸方向に移動可能に配置されるハンマー部と、前記内筒内の前記ハンマー部が突き当たる部分に設けられたハンマー受け部と、前記ハンマー部を前記内筒の軸方向に付勢する第２スプリングと、前記第１スプリングが縮む際に、前記ハンマー部を前記内筒の所定の位置に係止するストッパ機構と、前記外筒に設けられ、前記第１スプリングが所定の位置まで収縮された場合に、前記ストッパ機構による前記ハンマー部の係止を解除する解除部と、を有し、前記解除部により前記ストッパ機構による前記ハンマー部の係止が解除された場合、前記ハンマー部が前記ハンマー受け部に衝突し、当該衝突による衝撃力が前記作用部に伝達される、ことを特徴とする。
このような構成によれば、アイスバーンまたは硬い土壌等を安全かつ簡易に除去することが可能となる。